(57)【要約】  長時間の演奏が可能であって厚みも抑えることができる、新規のオルゴール装置を提供する。  本発明は、演奏用係合部（１４ａ）を有するとともに駆動手段（２ｃ）によって回転するシート（１４）と、シート（１４）に対向配置され外周面に二以上の爪部（２ａ１）を有するスターホイール（２ａ）と、スターホイール（２ａ）に隣接配置される振動弁（２ｂ）とを備え、駆動手段（２ｃ）によるシート（１４）の回転に伴って、演奏用係合部（１４ａ）が一の爪部（２ａ１）に連係してスターホイール（２ａ）を回転させるとともに他の爪部（２ａ１）が振動弁（２ｂ）を弾いて演奏を行うオルゴール装置であって、シート（１４）は、螺旋板状であることを特徴とする。
2017110998.tif 000002
【特許請求の範囲】
【請求項１】
演奏用係合部を有するとともに駆動手段によって回転するシートと、該シートに対向配置され外周面に二以上の爪部を有するスターホイールと、該スターホイールに隣接配置される振動弁とを備え、該駆動手段による該シートの回転に伴って、該演奏用係合部が一の爪部に連係して該スターホイールを回転させるとともに他の爪部が該振動弁を弾いて演奏を行うオルゴール装置において、
前記シートは、螺旋板状であるオルゴール装置。
【請求項２】
前記駆動手段は、前記シートの一端部に連結する第一回転盤と、該シートの他端部に連結する第二回転盤と、該第一回転盤と該第二回転盤とを同期して回転させる同期機構とを備える請求項１に記載のオルゴール装置。
【請求項３】
前記第一回転盤及び前記第二回転盤の少なくとも一方に対向して設けられる渦巻き溝を備えたカバー板と、該渦巻き溝内を移動可能なピンとを備え、
該カバー板に対向する該第一回転盤及び該第二回転盤の少なくとも一方は、半径方向に沿って延在するとともに該ピンを移動可能に保持する半径方向溝を有する請求項２に記載のオルゴール装置。
【請求項４】
前記駆動手段は、前記スターホイールを空転可能に保持するとともに該スターホイールと同軸上に設けられるスペーサを一体的に回転させるシャフトを備え、
前記スペーサとの間で前記シートを挟むとともに前記駆動手段によって回転して該シートを送り出す駆動ローラと、該駆動ローラとともに回転する駆動シャフトに装着され、該スペーサに向かって該シートを寄せる押えローラとを有するシート押え機構を更に備える請求項２又は３に記載のオルゴール装置。
【請求項５】
前記駆動ローラを、前記第一回転盤及び前記第二回転盤と一致した回転速度で前記シートを回転させるよう構成してなる請求項４に記載のオルゴール装置。
【発明の詳細な説明】
【技術分野】
【０００１】
本発明はオルゴール装置に関するものであって、特に、長時間の演奏が可能なオルゴール装置に関する。
【背景技術】
【０００２】
従来、音階の異なる振動弁を所定のタイミングで弾くことにより曲を演奏するオルゴール装置としては、各振動弁に係合するピンを所定のピッチでシリンダーの外周面に設けたシリンダー式オルゴール装置が既知である。このようなシリンダー式オルゴール装置において長時間の演奏を行うには、シリンダーの直径を大きくしなければならないため、オルゴール装置の厚みが非常に厚くなるという問題を抱えている。【０００３】
一方、シリンダーのピンで直接振動弁を弾く構成に代えて、回転可能に保持されるとともに外周面に複数の爪を有するスターホイールと、所定のピッチで穿孔された貫通孔を有するテープを備え、テープの送り出しに伴って、スターホイールの一の爪を貫通孔に係合させてスターホイールを回転させ、これによってスターホイールの他の爪で振動弁を弾いて演奏できるようにした、テープ式オルゴール装置も知られている（例えば特許文献１参照）。このようなテープ式オルゴール装置によれば、テープの長さを長くすることによって、長時間の演奏を行うことが可能である。また、上記のテープに変えて、円板状のディスクによって演奏を行うディスク式オルゴールも既知である（例えば特許文献２参照）。
【先行技術文献】
【特許文献】
【０００４】
【特許文献１】特開平９−１０１７７５号公報
【特許文献２】特開平１１−１５４６７号公報
【発明の概要】
【発明が解決しようとする課題】
【０００５】
ところで、このようなテープ式オルゴール装置では、演奏前のテープを巻いておく送り側ロールと演奏後のテープを巻き取る受け側ロールの２つのロールを設ける必要があるため、部品点数の増加を招くことになる。しかもテープの送り出しに伴って、送り側ロールのテープ直径は小さくなる一方で受け側ロールのテープ直径は大きくなるため、テープの送り速度を一定にするには２つのロールの回転速度を徐々に変えなければならず、機構の複雑化につながっている。更に、長時間の演奏を行うには、テープの長さが長くなる分、ロールのテープ直径も大きくなることから、部品点数の増加や機構の複雑化と相俟ってオルゴール装置の全体の厚みも厚くなる傾向にあった。これに対してディスク式オルゴールは薄いディスクを用いているため、オルゴール装置全体の厚みを薄くすることができるものの、演奏可能な曲の長さはディスクの周方向長さに依存するため、演奏時間を延ばすにも限度があった。【０００６】
本発明は、このような問題点を解決することを課題とするものであり、長時間の演奏が可能であって厚みも抑えることができる、新規のオルゴール装置を提供することを目的とする。
【課題を解決するための手段】
【０００７】
本発明は、演奏用係合部を有するとともに駆動手段によって回転するシートと、該シートに対向配置され外周面に二以上の爪部を有するスターホイールと、該スターホイールに隣接配置される振動弁とを備え、該駆動手段による該シートの回転に伴って、該演奏用係合部が一の爪部に連係して該スターホイールを回転させるとともに他の爪部が該振動弁を弾いて演奏を行うオルゴール装置において、
前記シートは、螺旋板状であるオルゴール装置である。【０００８】
前記駆動手段は、前記シートの一端部に連結する第一回転盤と、該シートの他端部に連結する第二回転盤と、該第一回転盤と該第二回転盤とを同期して回転させる同期機構とを備えることが好ましい。【０００９】
前記駆動手段は、駆動部によって回転するとともに前記スターホイールを空転可能に保持するシャフトと、該シャフトに設けられ、該シャフトの回転力を前記第一回転盤につながる回転盤駆動ギヤに伝えて該第一回転盤を回転させるシャフトギヤとを備え、
前記オルゴール装置は、該第一回転盤の中心軸に沿って移動可能且つ該中心軸を中心として回転可能に設けられる摘まみを備え、
該摘まみは、該第一回転盤に設けた駆動用係合部に係合して該第一回転盤を回転させる駆動用被係合部と、該摘まみとともに該シャフトを移動させるシャフト移動用係合部とを備え、該摘まみを該第一回転盤から離反する向きに移動させた場合は、該オルゴール装置を、該駆動用係合部と該駆動用被係合部とが非係合であるとともに該回転盤駆動ギヤと該シャフトギヤとが係合する演奏可能状態とする一方、該摘まみを該第一回転盤に接近する向きに移動させた場合は、該オルゴール装置を、該駆動用係合部と該駆動用被係合部とが係合するとともに該シャフト移動用係合部が該シャフトを移動させて該回転盤駆動ギヤと該シャフトギヤとが非係合且つ該スターホイールが該シートから離反するシート送り状態とすることが好ましい。【００１０】
前記第一回転盤及び前記第二回転盤の少なくとも一方に対向して設けられる渦巻き溝を備えたカバー板と、該渦巻き溝内を移動可能なピンとを備え、
該カバー板に対向する該第一回転盤及び該第二回転盤の少なくとも一方は、半径方向に沿って延在するとともに該ピンを移動可能に保持する半径方向溝を有することが好ましい。【００１１】
前記駆動手段は、前記スターホイールを空転可能に保持するとともに該スターホイールと同軸上に設けられるスペーサを一体的に回転させるシャフトを備え、
前記スペーサとの間で前記シートを挟むとともに前記駆動手段によって回転して該シートを送り出す駆動ローラと、該駆動ローラとともに回転する駆動シャフトに装着され、該スペーサに向かって該シートを寄せる押えローラとを有するシート押え機構を更に備えることが好ましい。【００１２】
前記駆動ローラを、前記第一回転盤及び前記第二回転盤と一致した回転速度で前記シートを回転させるよう構成することが好ましい。
【発明の効果】
【００１３】
本発明に従うオルゴール装置では、スターホイールを介して振動弁を弾く媒体として螺旋板状のシートを用いているため、長時間演奏を行うことが可能である。しかも螺旋板状のシートでは、未演奏部分と演奏終了部分のそれぞれを、層をなすように重ねることが可能であるため、オルゴール装置の厚みを抑えることができる。【００１４】
また、シートを回転させる駆動手段として、シートの一端部に連結する第一回転盤と、シートの他端部に連結する第二回転盤と、第一回転盤と第二回転盤とを同期して回転させる同期機構とを設ける場合は、シート全体を一体的に回転させることができるため、シートに局所的な負荷が加わることがないうえ、シートを安定的に回転させることができる。【００１５】
そして、このオルゴール装置に、第一回転盤の中心軸に沿って移動可能且つ中心軸を中心として回転可能に設けられる上述した摘まみを設ける場合は、摘まみを第一回転盤から離反する向きに移動させることで、オルゴール装置を、駆動用係合部と駆動用被係合部とが非係合であるとともに回転盤駆動ギヤとシャフトギヤとが係合する演奏可能状態とすることができる一方、摘まみを第一回転盤に接近する向きに移動させた場合は、オルゴール装置を、駆動用係合部と駆動用被係合部とが係合するとともに回転盤駆動ギヤとシャフトギヤとが非係合且つスターホイールがシートから離反するシート送り状態とすることができる。すなわち、摘まみを第一回転盤から離反する向きに移動させることで通常通り演奏を行うことができ、また摘まみを第一回転盤に接近する向きに移動させて回転すれば、シートの早送りや巻き戻しを高速に行うことができる。【００１６】
更に、第一回転盤及び第二回転盤の少なくとも一方に対向して設けられる渦巻き溝を備えたカバー板と、渦巻き溝内を移動可能なピンとを設け、カバー板に対向する該第一回転盤及び該第二回転盤の少なくとも一方に、半径方向に沿って延在するとともにピンを移動可能に保持する半径方向溝を設ける場合は、シートの回転に伴ってピンも移動するため、演奏される曲の経過をピンの位置で把握することができる。【００１７】
駆動手段に、スターホイールを空転可能に保持するとともにこのスターホイールと同軸上に設けられるスペーサを一体的に回転させるシャフトを設け、またスペーサとの間でシートを挟むとともに駆動手段によって回転してシートを送り出す駆動ローラと、駆動ローラとともに回転する駆動シャフトに装着され、スペーサに向かってシートを寄せる押えローラとを有するシート押え機構を設ける場合は、スペーサと駆動ローラとでシートを送り出すことができるため、シートをより安定的に回転させることができる。またシートは平面視において円板状であるため、半径方向内側と外側では速度が異なることになるものの、シートを送り出すローラは駆動ローラのみであって、押えローラはシートを積極的に送り出すものではないため、シートに皺や縒が生じることはない。【００１８】
そして駆動ローラを、第一回転盤及び第二回転盤と一致した回転速度でシートを回転させるよう構成することによって、第一回転盤、第二回転盤及びシートを全て同期させて回転させることができるため、シートに余計な負荷が加わることがない。
【図面の簡単な説明】
【００１９】
【図１】本発明に従うオルゴール装置の一実施形態につき、各構成部品（シート等を除く）を概略的に示した分解斜視図である。
【図２】図１に示す構成部品（シートを含む）を部分的に組み立てた状態を示す斜視図である。
【図３】図１に示すオルゴール装置の側面視での断面図である。
【図４】図２に示す矢印Ａに沿う概略図である。
【図５】図３に示すＢ−Ｂに沿う断面図である。
【図６】半径方向溝と渦巻き溝とを示した平面図である。
【図７】図３に示す状態から摘まみを下方に押下げた状態を示す断面図である。
【図８】図７に示す矢印Ｃに沿う矢視図を、摘まみを押下げる前（仮想線）と押下げた後（実線）とを重ねて示した図であって、（ａ）はシャフト押下げ補助機構の関係を示す図であり、（ｂ）は駆動手段の関係を示す図である。
【図９】本発明に従うオルゴール装置の他の実施形態を示す、側面視での断面図である。
【図１０】図９に示すＤ−Ｄに沿う断面図である。
【図１１】図１０の部分拡大図であって、（ａ）はＥ部、（ｂ）はＦ部を示す。
【図１２】図９に示すオルゴール装置の演奏可能状態を示した断面図であって、（ａ）は図１１に示すａ−ａに沿う断面図であり、（ｂ）は図１１に示すｂ−ｂに沿う断面図であり、（ｃ）は図１１に示すｃ−ｃに沿う断面図であり、（ｄ）は図１１に示すｄ−ｄに沿う断面図である。
【図１３】図９に示すオルゴール装置の演奏可能状態を示した断面図であって、（ａ）は図１１に示すｅ−ｅに沿う断面図であり、（ｂ）は図１１に示すｆ−ｆに沿う断面図である。
【図１４】図９に示すオルゴール装置のシート送り状態を示した断面図であって、（ａ）は図１１に示すａ−ａに沿う断面図であり、（ｂ）は図１１に示すｂ−ｂに沿う断面図であり、（ｃ）は図１１に示すｃ−ｃに沿う断面図であり、（ｄ）は図１１に示すｄ−ｄに沿う断面図である。
【図１５】図９に示すオルゴール装置のシート送り状態を示した断面図であって、（ａ）は図１１に示すｅ−ｅに沿う断面図であり、（ｂ）は図１１に示すｆ−ｆに沿う断面図である。
【発明を実施するための形態】
【００２０】
以下、図面を参照して、本発明に従うオルゴール装置の一実施形態について説明する。なお、本明細書において「上側」とは、図１において底板（符号１３）に対して保護板（符号１２）が位置する側であり、「下側」とはその反対側である。
【００２１】
図面中、符号１は本実施形態のオルゴール装置を示す。オルゴール装置１は、図１において概略的に示すように、オルゴール本体２と、上側仕切板３と、下側仕切板４と、上側回転盤（第一回転盤）５と、下側回転盤（第二回転盤）６と、同期用ギヤ７と、連結部材８と、摘まみ９と、天板（カバー板）１０と、ピン１１と、保護板１２と、底板１３とを備えている。またオルゴール装置１は、図１では図示を省略しているが、図２に示すようにシート１４を備えている。更にオルゴール装置１は、図３、図５に示すロック機構１５と、シャフト押下げ補助機構１６を備えている。
【００２２】
オルゴール本体２は、図１に示すように中心軸に沿って並んだ複数のスターホイール２ａと、スターホイール２ａに対して隣接して配置されるとともに各スターホイール２ａに対応する位置に並んだ複数の振動弁２ｂと、シート１４に回転力を付与するための駆動手段２ｃとを備えている。スターホイール２ａは、図４に示すように外周面に二以上の爪部２ａ１を備えている。なお、隣り合うスターホイール２ａの間には、図１に示すように円板状のスペーサ２ｄがスターホイール２ａと同軸上に設けられている。
【００２３】
また駆動手段２ｃは、図５及び図８（ｂ）に示すように、手で回転させるハンドル２ｃ１と、ハンドル２ｃ１の回転力を伝える第一ギヤ２ｃ２とを備えていて、更に３つのギヤ（第二ギヤ２ｃ３、第三ギヤ２ｃ４、第四ギヤ２ｃ５）を介して回転するシャフト２ｃ６を備えている（第四ギヤ２ｃ５とシャフト２ｃ６は一体的に回転する）。シャフト２ｃ６は、図３及び図５に示すように、オルゴール装置１の半径方向外側から内側に向かって長く延在するものであって、シャフト２ｃ６を第四ギヤ２ｃ５の近傍で回転可能に支持する柱状の第一支持部２ｃ７と、シャフト２ｃ６と一体になって回転するシャフトギヤ２ｃ８を備えるとともに、複数のスターホイール２ａを串差しするようにして空転可能に保持している。なおシャフト２ｃ６は、スターホイール２ａとともにスペーサ２ｄも串差しするようにして保持しているが、スペーサ２ｄは締まりばめの如き手段でシャフト２ｃ６に取り付けられていて、シャフト２ｃ６と一体的に回転する。更にシャフト２ｃ６は、オルゴール装置１の中心部において、柱状になる一対の第二支持部２ｃ９に回転可能に支持されていて、これら第二支持部２ｃ９の間には、シャフト２ｃ６と一体になって回転するロック用ギヤ２ｃ１０が設けられている。ここで第二支持部２ｃ９のそれぞれは、オルゴール装置１の中心軸Ｏに対向する面において半径方向内側から外側へ凹む凹部２ｃ１１を備えている。なお凹部２ｃ１１は、第二支持部２ｃ９を貫く貫通孔であってもよい。そして、図３に示すように第一支持部２ｃ７と一対の第二支持部２ｃ９の下部にはスプリングＳ１が設けられていて、シャフト２ｃ６には下から上に向かって付勢力が働いている。なお、シャフト２ｃ６とともに第四ギヤ２ｃ５は上下方向に移動可能であるが、図８（ｂ）に示すようにシャフト２ｃ６が下がった場合でも第四ギヤ２ｃ５と第三ギヤ２ｃ４とは噛合うようにしている。
【００２４】
上側仕切板３は、図１に示すように駆動手段２ｃの上方に設けられていて、その内側には、穴３ａが設けられている。また、駆動手段２ｃの下方には下側仕切板４が設けられていて、その内側には穴４ａが設けられている。
【００２５】
シート１４は、図２に示すようにオルゴール装置１の中心軸Ｏに対して旋回するようにして延在する螺旋板状に形成されている。本実施形態のシート１４は薄いプラスチック製であるが、この材質に限定されるものではない。また本実施形態のシート１４は、ドーナツ型に形成しておいたものを半径方向に切断して、それを複数つなぎ合わせて螺旋板状に形成しているが、形成方法はこれに限定されるものではない。ここでシート１４には、シート１４を回転させた際にスターホイール２ａの爪部２ａ１に係合する演奏用係合部１４ａが所定の位置に複数設けられている。本実施形態の演奏用係合部１４ａはシート１４を貫く貫通孔であるが、爪部２ａ１に向かって突出する突起であってもよい。
【００２６】
そしてシート１４は、図４に示すように、その上部部分は上側仕切板３上において層をなすように重ねて載置されていて、そこから穴３ａを通してスターホイール２ａの上方を経由し、下側仕切板４の穴４ａに至る。穴４ａを経由したシート１４の下部部分は、下側仕切板４の下方において層をなすように重ねて載置される。
【００２７】
なお図示は省略するが、シート１４の上端部は、図１及び図３に示す、上側仕切板３の上方に位置する上側回転盤（第一回転盤）５に連結し、シート１４の下端部は、下側仕切板４の下方に位置する下側回転盤（第二回転盤）６に連結している。本実施形態の上側回転盤５及び下側回転盤６は、中心部に位置する小径のドーナツ状部と半径方向外側に位置する大径のドーナツ状部とを、半径方向に延在する合計４本のフレームでつないだ形状になるものである。また上側回転盤５の１本のフレームには、図６に示すように、そのフレームを貫通するとともに半径方向に延在する半径方向溝５ａが設けられている。なお、詳細な構成についての説明は省略するが、上側回転盤５及び下側回転盤６は、上側仕切板３及び下側仕切板４に対して回転するように支持されていている。
【００２８】
上側回転盤５の下方には、図３に示すように、上側仕切板３によって回転可能に支持されるとともにシャフトギヤ２ｃ８によって回転する回転盤駆動ギヤ５ｂが設けられている。ここで上側回転盤５の半径方向外側の下面には、回転盤駆動ギヤ５ｂと噛合う凹凸状の歯部（不図示）が設けられていて、シャフトギヤ２ｃ８が回転すると、回転盤駆動ギヤ５ｂを介して上側回転盤５が回転する。なお、図３ではシャフトギヤ２ｃ８と回転盤駆動ギヤ５ｂとが離れて図示されているが、シャフトギヤ２ｃ８と回転盤駆動ギヤ５ｂとの間には不図示のギヤが設けられていて、図３の状態（シャフト２ｃ６がスプリングＳ１によって上方へ付勢された状態）ではシャフトギヤ２ｃ８と回転盤駆動ギヤ５ｂとは間接的に噛合っている。更に上側回転盤５は、図３に示すように半径方向内側の上面にも、凹凸状の歯部（駆動用係合部５ｃ）を備えている。
【００２９】
また上側回転盤５と下側回転盤６との間には、これらを同期して回転させる同期機構が設けられている。本実施形態では、図１及び図３に示すように２つの同期用ギヤ７を設けるとともに、同期用ギヤ７の一つが上述の回転盤駆動ギヤ５ｂと噛合う凹凸状の歯部（不図示）と噛合うようにし、またもう一つの同期用ギヤ７が下側回転盤６の半径方向外側の上面に設けた歯部（不図示）と噛合うようにしている。これによって上側回転盤５が回転すると、下側回転盤６も同期して回転することができる。なお、同期機構は同期用ギヤ７に限定されるものではなく、例えば歯部付きベルト（歯部無しベルトでもよい）を介して上側回転盤５と下側回転盤６とつなぐようにしてもよい。
【００３０】
上側回転盤５と下側回転盤６の半径方向内側には、図１に示すように概略円筒状になる連結部材８が設けられている。連結部材８は、上側仕切板３と下側仕切板４とに連結する一方、上側回転盤５と下側回転盤６とを回転可能に支持している。
【００３１】
連結部材８の上方には、図１及び図３に示すように摘まみ９が設けられる。本実施形態の摘まみ９は、小径円筒状部分９ａの内側に、上方へ向けて延在する板状部分を備える円板状部分を連結するとともに、小径円筒状部分９ａの上端に連結するフランジの外端に、下方へ向けて延在する大径円筒状部分９ｂを連結した形態をなすものである。摘まみ９は、小径円筒状部分９ａの下端が第二支持部２ｃ９の上端に当接し、小径円筒状部分９ａの外面が連結部材８の内面に当接していて、中心軸Ｏに沿って上下動可能、且つ中心軸Ｏを中心に回転可能に支持されている。ここで摘まみ９を押下げると、小径円筒状部分９ａが第二支持部２ｃ９を押下げるため、シャフト２ｃ６も下方へ移動する（小径円筒状部分９ａは、シャフト２ｃ６を移動させるシャフト移動用係合部として機能する）。なお図示は省略するが、摘まみ９は第二支持部２ｃ９及び連結部材８に対して移動するものであるため、それらの間の摩擦（摺動抵抗）を下げるように、例えば小径円筒状部分９ａの下端や第二支持部２ｃ９の上端を円弧状にしたり、接触する部分に小突起を設けたりすることが好ましい。
【００３２】
また詳細な図は省略するが、摘まみ９は、大径円筒状部分９ｂの下端において、上側回転盤５に設けた凹凸状の歯部である駆動用係合部５ｃに係合する駆動用被係合部９ｃを備えている。これにより、摘まみ９を押下げて回転させると、駆動用係合部５ｃと駆動用被係合部９ｃとが噛合って、上側回転盤５を回転させることができる。
【００３３】
そして上側回転盤５の上方には、図１及び図３に示すように天板（カバー板）１０が設けられる。天板１０には、図６に示すように天板１０を貫通するとともに、中心軸Ｏを中心に渦巻き状に延在する渦巻き溝１０ａが設けられている。
【００３４】
更に、図１及び図３に示すように上側回転盤５と天板１０の間には、中央部が大径円柱状であって、上下が小径円柱状になるピン１１が設けられる。ピン１１は、図３及び図６に示すように、半径方向溝５ａと渦巻き溝１０ａに収まっていて、上側回転盤５の回転に応じて半径方向内側或いは外側へ移動する。
【００３５】
そして天板１０の上方には、保護板１２が設けられる。保護板１２は渦巻き溝１０ａを覆っているので、オルゴール装置１の内部への埃等の浸入を防止することができる。また本実施形態の保護板１２は透明であって、ピン１１の位置が外から分かるようにしている。
【００３６】
底板１３は、天板１０及び保護板１２とともにオルゴール装置１の筐体をなすものであって、図３に示すようにその内側に上述した部材を収めている。
【００３７】
図３、図５に示すロック機構１５は、摘まみ９を押し下げた際にシャフト２ｃ６を下方位置で維持するものであって、本実施形態では、底板１３の中央部で回転可能に保持される円板１５ａと、円板１５ａに軸支される一対のレバー１５ｂと、レバー１５ｂに対して半径方向外側に向かう付勢力を与えるスプリングＳ２と、レバー１５ｂに軸支されるとともに先端が第二支持部２ｃ９の凹部２ｃ１１に挿入されるロック部材１５ｃとを備えている。ここで円板１５ａの上面には、摘まみ９を押し下げた際にシャフト２ｃ６に設けたロック用ギヤ２ｃ１０に噛合う凹凸状の歯部（不図示）が設けられている。そしてロック用ギヤ２ｃ１０と円板１５ａとの歯部が噛合った状態において、シャフト２ｃ６の回転に伴ってロック用ギヤ２ｃ１０が回転すると、円板１５ａはロック部材１５ｃを半径方向内側に戻すように回転する。
【００３８】
図３、図５に示すシャフト押下げ補助機構１６は、摘まみ９を押し下げた際にシャフト２ｃ６が全体的に（特に摘まみ９から遠い第四ギヤ２ｃ５等を設けている部分）下がるように補助するものである。本実施形態のシャフト押下げ補助機構１６は、シャフト２ｃ６と平行に延在する第二シャフト１６ａを備えるとともに、第二シャフト１６ａの両端に、シャフト２ｃ６を挿通する長穴を有する一対のアーム１６ｂを備え、全体的にコ字状になるものである。なお第二シャフト１６ａは、図示は省略するが底板１３に設けた支持部によって揺動可能に支持されているため、図８（ａ）に示すように、両方のアーム１６ｂを同じ角度で動かすことができる。
【００３９】
このような構成になるオルゴール装置１にあっては、図３に示すように摘まみ９が上方に位置する状態（演奏可能状態）で演奏を行うことができる。演奏を行うには、まず手でハンドル２ｃ１を回転させる。これにより、第一ギヤ２ｃ２、第二ギヤ２ｃ３、第三ギヤ２ｃ４が順に回転し、第四ギヤ２ｃ５とともにシャフト２ｃ６及びシャフトギヤ２ｃ８が回転し、これによって回転盤駆動ギヤ５ｂを介して上側回転盤５が回転する。この時、下側回転盤６は、同期用ギヤ７によって上側回転盤５とともに同期して回転するため、上端部及び下端部が上側回転盤５及び下側回転盤６に連結する螺旋板状のシート１４も、同期して回転する。すなわち、シート１４に局所的な負荷を与えることなく安定的に回転させることができる。
【００４０】
シート１４が回転すると、図４に示すように、上側仕切板３上に載置されている螺旋板状のシート１４の上部部分（未演奏部分）が、穴３ａを通してスターホイール２ａの上方を通過する。これに伴い、演奏用係合部１４ａがスターホイール２ａの一の爪部２ａ１に連係してスターホイール２ａを回転させ、他の爪部２ａ１が振動弁２ｂを弾くことで音を出すことができる。シート１４は螺旋板状であって全長が長いため、長時間演奏を行うことができる。そしてスターホイール２ａを通過したシート１４の下部部分（演奏終了部分）は、穴４ａを通って下側仕切板４の下方に載置されていく。このようにシート１４は、未演奏部分と演奏終了部分を上側仕切板３の上方と下側仕切板４の下方に層をなすように重ねることができるため、オルゴール装置１の厚みを抑えることが可能になる。
【００４１】
また、図７に示すように摘まみ９を下方に押下げると、シート１４を早送り、あるいは巻き戻すことができる状態（シート送り状態）に維持することができる。すなわち、摘まみ９によって第二支持部２ｃ９がスプリングＳ１に抗して下がるため、図５に示すスプリングＳ２によって付勢されているロック部材１５ｃが凹部２ｃ１１に挿入される。そして、第二支持部２ｃ９とともにシャフト２ｃ６も下がり、シャフト２ｃ６に保持されているシャフトギヤ２ｃ８が回転盤駆動ギヤ５ｂから離れ、またスターホイール２ａがシート１４から離れることになる。一方、摘まみ９の駆動用被係合部９ｃは上側回転盤５の駆動用係合部５ｃと係合するため、摘まみ９の回転に伴ってシート１４を高速で早送り、あるいは巻き戻すことができる。
【００４２】
なお、シャフト２ｃ６は半径方向に長く延在しているため、摘まみ９を押下げても、半径方向外側の第四ギヤ２ｃ５等を設けている部分まで均等に押下がらないおそれがある。しかし本実施形態では、第二シャフト１６ａの両端部に設けたアーム１６ｂによって、シャフト２ｃ６の半径方向外側部分にも力を加えることができるため、シャフト２ｃ６を水平に押下げることができる。
【００４３】
本実施形態のピン１１は、シート１４の演奏が進むにつれて、半径方向溝５ａに沿って半径方向外側から内側へ移動するようにしている。すなわち、ピン１１の位置でシート１４の演奏過程が分かるため、例えば保護板１２に対して曲の始まり毎に印をつけておけば、ピン１１がその印に合うようにシート１４を送ることによって、曲の頭出しを行うことができる。
【００４４】
なお、摘まみ９を下方に押下げた状態では曲を演奏することはできないものの、上述したようにこの状態であっても第三ギヤ２ｃ４と第四ギヤ２ｃ５とは噛合っているので、ハンドル２ｃ１を回すとシャフト２ｃ６も回転する。この時、図７に示すように円板１５ａとロック用ギヤ２ｃ１０とは噛合っていて、シャフト２ｃ６の回転に伴ってロック用ギヤ２ｃ１０と円板１５ａも回転し、これによってロック部材１５ｃが半径方向内側に戻されるため、第二支持部２ｃ９とロック部材１５ｃとの連係が解かれ、スプリングＳ１の付勢力によって摘まみ９が自動的に上方へ復帰する。すなわち、摘まみ９が下方に押下げられた状態であっても、これを上方へ移動させる必要はなく、通常演奏するようにハンドル２ｃ１を回すだけで演奏可能状態に復帰させることができる。
【００４５】
次に、本発明に従うオルゴール装置の他の実施形態について、図９〜図１５を参照しながら説明する。なお、本実施形態のオルゴール装置５１は、オルゴール本体５２、上側仕切板５３、下側仕切板５４、上側回転盤（第一回転盤）５５、下側回転盤（第二回転盤）５６、同期用ギヤ５７、連結部材５８、摘まみ５９、天板（カバー板）６０、ピン６１、底板６３、シート６４を備えている。更に、図９、図１０に示すシート押え機構６５と、モード切り替え機構６６を備えている。なお、上側仕切板５３、下側仕切板５４、上側回転盤５５、下側回転盤５６、同期用ギヤ５７、連結部材５８、ピン６１、シート６４は、前述のオルゴール装置１における上側仕切板３、下側仕切板４、上側回転盤５、下側回転盤６、同期用ギヤ７、連結部材８、ピン１１、シート１４とほぼ同一の構成になるものであるので、詳細な説明は省略する。
【００４６】
オルゴール本体５２は、スターホイール（図９における符号５２ａ）と、振動弁（符号省略）、及び駆動手段（符号省略）を備えている。なお、スターホイール５２ａ、及び振動弁は、前述のオルゴール本体２とほぼ同一の形態になるものであるが、駆動手段は前述の駆動手段２ｃとは一部構成が相異している。本実施形態の駆動手段は、図９に示すハンドル５２ｃ１の回転力が、図示を省略したギヤを介して第一駆動ギヤ５２ｃ２に伝わるように構成している。ここで第一駆動ギヤ５２ｃ２は、複数のスターホイール５２ａを串差しするようにして空転可能に保持するシャフト５２ｃ３に設けられている。なお、隣り合うスターホイール５２ａの間には、前述のスペーサ２ｄと同様に、円板状をなすとともにシャフト５２ｃ３と一体的に回転するスペーサ５２ｄが設けられている。更にシャフト５２ｃ３には、シャフト５２ｃ３と一体的に回転する第二駆動ギヤ５２ｃ４と、第三駆動ギヤ５２ｃ５が設けられている。なお、前述の実施形態におけるシャフト２ｃ６は上下方向に移動可能であったが、本実施形態のシャフト５２ｃ３は、上下方向へは移動しないように構成されている。
【００４７】
摘まみ５９は、指で摘まむ部位となる上側摘まみ部分５９ａと、中央部に孔を有する板状の下側摘まみ部分５９ｂと、下側摘まみ部分５９ｂの孔を挿通するとともに上側摘まみ部分５９ａと下側摘まみ部分５９ｂとに挟まれる摘まみシャフト部分５９ｃとを備えている。なお、摘まみシャフト部分５９ｃの側面には、図１３（ｂ）に示すようにラックが設けられている。また図示は省略するが、摘まみ５９には上側回転盤５５を早送り、あるいは巻き戻しするための前述の駆動用被係合部９ｃに相当する部位が設けられている。
【００４８】
天板６０は、前述の実施形態における天板１０と保護板１２とを一体化した如き形態をなすものである。なお、天板６０は全て透明であってもよいが、外観上、ピン６１が移動する渦巻き溝だけを透明したままで他の部分は有色にすることが好ましい。
【００４９】
底板６３は、中央部において筒状部６３ａを有している。筒状部６３ａは、摘まみシャフト部分５９ｃをスライド可能に保持するものである。また筒状部６３ａには、摘まみシャフト部分５９ｃを上方へ向けて付勢するスプリングＳ３を設けている。
【００５０】
シート押え機構６５は、シート６４を挟んでスターホイール５２ａ及びスペーサ５２ｄの反対側に設けられ、スペーサ５２ｄとの間でシート６４を挟み込んでシート６４を送り出すものである。本実施形態のシート押え機構６５は、図９、図１１（ａ）、図１２（ｃ）に示すように、モード切り替え機構６６に対して揺動可能に設けられる揺動シャフト６５ａと、揺動シャフト６５ａに一体に連結するアーム６５ｂと、アーム６５ｂに回転可能に保持される駆動シャフト６５ｃと、駆動シャフト６５ｃと一体的に回転するシャフトギヤ６５ｄと、駆動シャフト６５ｃと一体的に回転するとともにスペーサ５２ｄとの間でシート６４を挟み込んでシート６４を送り出す駆動ローラ６５ｅと、駆動シャフト６５ｃに装着されてスペーサ５２ｄに向かってシート６４を寄せる押えローラ６５ｆとを備えている。換言すると、押えローラ６５ｆは、スペーサ５２ｄに向かってシート６４を近づける一方、シート６４を積極的に送り出す機能は有さないものである。このような機能を押えローラ６５ｆに持たせるには、例えば、駆動シャフト６５ｃと一体的に回転するように構成する一方で、押えローラ６５ｆの直径は駆動ローラ６５ｅの直径よりも小さくすればよい。また、直径は駆動ローラ６５ｅと同一であっても、駆動シャフト６５ｃに対して空転するように構成すればよい。また押えローラ６５ｆは、駆動ローラ６５ｅと同幅でもよいが、シート６４を積極的に送り出さないようにするべく、例えば図１１（ａ）に示すように駆動ローラ６５ｅよりも幅を狭くすることが好ましい。更に揺動シャフト６５ａは、図１１（ｂ）に示すようにシャフトギヤ６５ｇを備えている。
【００５１】
モード切り替え機構６６は、前述の実施形態で説明した演奏可能状態とシート送り状態とを切り替えるものである。本実施形態のモード切り替え機構６６は、図９、図１１（ａ）、図１２（ａ）に示すように天板６０の上面に沿って移動するスライドスイッチ６６ａと、揺動シャフト６５ａを中心として回転可能に設けられる第一リンク６６ｂと、水平方向に移動可能に設けられる第二リンク６６ｃとを備えている。また第二リンク６６ｃには、シャフト６６ｄが設けられていて、シャフト６６ｄには、第一切り替えギヤ６６ｅが設けられている。また第一切り替えギヤ６６ｅには、第一切り替えギヤ６６ｅと一体的に回転する第二切り替えギヤ６６ｆが設けられている。なお、図１１（ａ）、図１２（ｂ）に示すように第一切り替えギヤ６６ｅの脇には、底板６３から立ち上がる壁に取り付けられるアイドラー６６ｇが設けられている。なお上側回転盤５５の外縁部には、前述の上側回転盤５に設けた回転盤駆動ギヤ５ｂと同様の回転盤駆動ギヤが設けられていて、アイドラー６６ｇは、この回転盤駆動ギヤに噛合っている。
【００５２】
更にモード切り替え機構６６は、図１１（ｂ）に示すように、切り替えシャフト６６ｈを備えている。切り替えシャフト６６ｈの一端には、シャフトギヤ６５ｇに噛合う第三切り替えギヤ６６ｊが設けられている。また切り替えシャフト６６ｈの他端には、第四切り替えギヤ６６ｋが設けられている。ここで第四切り替えギヤ６６ｋは、図１３（ｂ）に示すように、摘まみシャフト部分５９ｃのラックに噛合っている。
【００５３】
このような構成になるオルゴール装置５１にあっては、演奏可能状態とするべく、スライドスイッチ６６ａを図１２（ａ）に示す矢印の向き（左側）に移動させると、第一リンク６６ｂは揺動シャフト６５ａを中心として反時計回りに回転し、第二リンク６６ｃは右側に移動する。この時、第二切り替えギヤ６６ｆは第二駆動ギヤ５２ｃ４に噛合うとともに、図１２（ｂ）に示すように第一切り替えギヤ６６ｅはアイドラー６６ｇに噛合うことになる。このため、ハンドル５２ｃ１の回転力は、アイドラー６６ｇを介して上側回転盤５５に伝わって上側回転盤５５が回転する。また、上側回転盤５５が回転すると同期用ギヤ５７を介して下側回転盤５６も回転するため、これらに連結するシート６４も回転する。
【００５４】
更にこの状態においては、図１２（ｃ）に示すように揺動シャフト６５ａに連結するアーム６５ｂも反時計回りに回転するため、シャフトギヤ６５ｄは第三駆動ギヤ５２ｃ５に噛合うことになる。このため、ハンドル５２ｃ１の回転力は、シャフトギヤ６５ｄを介して駆動シャフト６５ｃに伝わり、図１２（ｄ）に示すように駆動ローラ６５ｅも回転する。これにより、スペーサ５２ｄと駆動ローラ６５ｅで挟まれるシート６４は、スペーサ５２ｄと駆動ローラ６５ｅの両方によって送り出されるため、シート６４を安定して回転させることができる。更に、図９、図１１（ａ）に示すように、駆動シャフト６５ｃには複数の押えローラ６５ｆが設けられていて、シート６４は、駆動ローラ６５ｅ及び押えローラ６５ｆとによって、半径方向の全域がスペーサ５２ｄに向かって寄せられている。すなわちシート６４は、スペーサ５２ｄに隣接するスターホイール５２ａにも近づけられることから、スターホイール５２ａに設けた爪部を、シート６４に設けた演奏用係合部に確実に噛み合わせることができるため、所期した通りの演奏を行うことができる。なお、シート６４は平面視において円形であるため、半径方向内側と外側では速度が異なることになる。このため、仮に押えローラ６５ｆにも駆動ローラ６５ｅのような駆動力を加える構成にする場合には、シート６４に皺が寄ったりシート６４が縒れたりすることを避けるために、それぞれのローラに対してシート６４の半径方向の位置に応じた回転速度を与えるように構成する必要がある。しかし本実施形態では、シート６４に駆動力を加えるローラは駆動ローラ６５ｅの１つのみとし、他の押えローラ６５ｆは駆動ローラ６５ｅよりも直径を小さくするとともに幅も小さくしているため、押えローラ６５ｆがシート６４に対して余計な負荷を与えることがない。このため、簡単な構成でありながらシート６４の皺や縒を防止することができる。また本実施形態では、アイドラー６６ｇのピッチ円における円周上の速度は、駆動ローラ６５ｅの円周上の速度に対して、（上側回転盤５５の中心軸からアイドラー６６ｇまでの半径方向長さ）／（上側回転盤５５の中心軸から駆動ローラ６５ｅまでの半径方向長さ）になるように設定している。すなわち、上側回転盤５５及び下側回転盤５６とシート６４との回転速度が一致するため、これらを同期して回転させることができる。
【００５５】
またこの状態においては、図１３（ａ）に示すように、揺動シャフト６５ａに連結するシャフトギヤ６５ｇが反時計回りに回転し、シャフトギヤ６５ｇに噛合う第三切り替えギヤ６６ｊが時計回りに回転するため、図１３（ｂ）に示すように、切り替えシャフト６６ｈを介して第三切り替えギヤ６６ｊに連結する第四切り替えギヤ６６ｋも時計回りに回転する。ここで摘まみ５９は、第四切り替えギヤ６６ｋに噛合うラックを有する摘まみシャフト部分５９ｃを有しているため、上方の待機位置まで上昇する。
【００５６】
一方、シート送り状態とするには、スライドスイッチ６６ａを図１４（ａ）に示す矢印の向き（右側）に移動させる。これにより、第一リンク６６ｂは揺動シャフト６５ａを中心として時計回りに回転し、第二リンク６６ｃは左側に移動する。この時、第二切り替えギヤ６６ｆは第二駆動ギヤ５２ｃ４から離れるとともに、図１４（ｂ）に示すように第一切り替えギヤ６６ｅもアイドラー６６ｇから離れることになる。またこの状態においては、図１４（ｃ）に示すように揺動シャフト６５ａに連結するアーム６５ｂも時計回りに回転するため、シャフトギヤ６５ｄも第三駆動ギヤ５２ｃ５から離れ、駆動ローラ６５ｅも、図１４（ｄ）に示すようにスターホイール５２ａから離れることになる。すなわち、ハンドル５２ｃ１の回転力は、上側回転盤５５、下側回転盤５６、及びシート６４には伝わらないことになる。更にこの状態においては、図１５（ａ）に示すように、揺動シャフト６５ａに連結するシャフトギヤ６５ｇが時計回りに回転し、第三切り替えギヤ６６ｊが反時計回りに回転するため、図１３（ｂ）に示すように、第四切り替えギヤ６６ｋも反時計回りに回転する。これにより、摘まみシャフト部分５９ｃを介して摘まみ５９が下方に移動し、摘まみ５９に設けた不図示の駆動用被係合部が、上側回転盤５５に設けた不図示の駆動用係合部に係合するため、摘まみ５９の回転に伴ってシート６４を高速で早送り、あるいは巻き戻すことができる。
【００５７】
本発明のオルゴール装置は、これまでに述べた実施形態に限定されるものではなく、種々の変更を行ったものも含まれる。例えば本実施形態の説明に用いた図では各構成部材を簡略化して示しているが、この形状に限定されるものではない。また上述した実施形態では、シート１４を回転させる駆動部として手で回すハンドル２ｃ１を設けたが、モータで回転させるようにしてもよい。
【産業上の利用可能性】
【００５８】
本発明のオルゴール装置によれば、長時間の演奏が可能であって厚みも抑えることができるので、オルゴール装置単体で使用するだけでなく、他のものと組み合わせて使うにも好適である。
【符号の説明】
【００５９】
１：オルゴール装置
２：オルゴール本体
２ａ：スターホイール
２ａ１：爪部
２ｂ：振動弁
２ｃ：駆動手段
２ｃ１：ハンドル
２ｃ２：第一ギヤ
２ｃ３：第二ギヤ
２ｃ４：第三ギヤ
２ｃ５：第四ギヤ
２ｃ６：シャフト
２ｃ７：第一支持部
２ｃ８：シャフトギヤ
２ｃ９：第二支持部
２ｃ１０：ロック用ギヤ
２ｃ１１：凹部
２ｄ：スペーサ
３：上側仕切板
３ａ：上側仕切板の穴
４：下側仕切板
４ａ：下側仕切板の穴
５：上側回転盤（第一回転盤）
５ａ：半径方向溝
５ｂ：回転盤駆動ギヤ
５ｃ：駆動用係合部
６：下側回転盤（第二回転盤）
７：同期用ギヤ（同期機構）
８：連結部材
９：摘まみ
９ａ：小径円筒状部分（シャフト移動用係合部）
９ｂ：大径円筒状部分
９ｃ：駆動用被係合部
１０：天板（カバー板）
１０ａ：渦巻き溝
１１：ピン
１２：保護板
１３：底板
１４：シート
１４ａ：演奏用係合部
１５：ロック機構
１５ａ：円板
１５ｂ：レバー
１５ｃ：ロック部材
１６：シャフト押下げ補助機構
１６ａ：第二シャフト
１６ｂ：アーム
５１：オルゴール装置
５２：オルゴール本体
５２ａ：スターホイール
５２ｃ１：ハンドル
５２ｃ２：第一駆動ギヤ
５２ｃ３：シャフト
５２ｃ４：第二駆動ギヤ
５２ｃ５：第三駆動ギヤ
５２ｄ：スペーサ
５３：上側仕切板
５４：下側仕切板
５５：上側回転盤（第一回転盤）
５６：下側回転盤（第二回転盤）
５７：同期用ギヤ（同期機構）
５８：連結部材
５９：摘まみ
５９ａ：上側摘まみ部分
５９ｂ：下側摘まみ部分
５９ｃ：摘まみシャフト部分
６０：天板（カバー板）
６１：ピン
６３：底板
６３ａ：筒状部
６４：シート
６５：シート押え機構
６５ａ：揺動シャフト
６５ｂ：アーム
６５ｃ：駆動シャフト
６５ｄ：シャフトギヤ
６５ｅ：駆動ローラ
６５ｆ：押えローラ
６５ｇ：シャフトギヤ
６６：モード切り替え機構
６６ａ：スライドスイッチ
６６ｂ：第一リンク
６６ｃ：第二リンク
６６ｄ：シャフト
６６ｅ：第一切り替えギヤ
６６ｆ：第二切り替えギヤ
６６ｇ：アイドラー
６６ｈ：切り替えシャフト
６６ｊ：第三切り替えギヤ
６６ｋ：第四切り替えギヤ
Ｓ１：スプリング
Ｓ２：スプリング
Ｓ３：スプリング
【図１】
2017110998.tif 000003
【図２】
2017110998.tif 000004
【図３】
2017110998.tif 000005
【図４】
2017110998.tif 000006
【図５】
2017110998.tif 000007
【図６】
2017110998.tif 000008
【図７】
2017110998.tif 000009
【図８】
2017110998.tif 000010
【図９】
2017110998.tif 000011
【図１０】
2017110998.tif 000012
【図１１】
2017110998.tif 000013
【図１２】
2017110998.tif 000014
【図１３】
2017110998.tif 000015
【図１４】
2017110998.tif 000016
【図１５】
2017110998.tif 000017
【国際調査報告】
2017110998.tif 000018
2017110998.tif 000019
2017110998.tif 000020
2017110998.tif 000021